(57)【要約】【課題】インキパンカバーの固定作業及び取り外し作業が容易に行え，しかも，インキパンカバーをインキパンから取り外すときでも，インキパンカバーが破れることがないようにしたインキパンカバーの固定方法を提供する。【解決手段】インキパン１には複数の吸着孔１０が設けられており，吸引装置（例えば，真空ポンプ）で発生させた吸引力を吸着孔１０に働かせることにより，インキパン１に掛けられたインキパンカバー２を固定する。【選択図】図１
2011148144.tif 000002
【特許請求の範囲】
【請求項１】
インキパンの所定位置に複数の吸着孔を設け，吸引装置で発生させた吸引力を前記吸着孔に働かせることにより，前記インキパンに掛けられたインキパンカバーを固定することを特徴とするインキパンカバーの固定方法。
【請求項２】
前記インキパンは，内部空間を有する二重構造で，その内面の所定位置に複数の前記吸着孔が設けられ，吸引装置を用いて前記インキパンの内部空間を負圧にすることで，それぞれの前記吸着孔に吸引力を働かせるようにしたことを特徴とする，請求項１に記載のインキパンカバーの固定方法。
【請求項３】
請求項１又は請求項２に記載のインキパンカバーの固定方法で利用され，吸引装置で発生させた吸引力を働かせるための複数の吸着孔が設けられたインキパン。
【発明の詳細な説明】
【技術分野】
【０００１】
グラビア印刷機のインキパンに掛けるインキパンカバーを固定するための技術に関する。
【背景技術】
【０００２】
グラビア印刷機のインキパンは，版胴から落下するインキを受け止めるパン部と横に飛び散るインキを止める版サイド部とで構成され，インキ交換時におけるインキパンの洗浄作業を省略する為に，印刷時にはインキパンの内側面を覆うように，グラビア印刷で使用されるフィルム，またはフィルムコートされた紙などをインキパンカバーとして掛けることが行われている。
【０００３】
インキパンカバーの固定方法としては，インキパンのパン部や版サイド部のエッジ部分にインキパンカバーを掛け，クリップ等で固定する方法がある。しかし，この方法を採用する場合，材料コストは安く済むという利点はあるが，複数個をクリップで留めるのが面倒である上に，クリップの角でインキパンカバーが破れたり，留め方によってはクリップにインキが付着したり，場所によっては留め方が難しいといった問題点がある。
【０００４】
また，上述した方法だと，パン部の底に関しては固定ができず，インキパンカバーを底の形状に合わせても，インキパンカバーに皺が生じてしまい，インキの溜まり部となりインキ循環の妨げになるといった問題点もある。
【０００５】
また，インキパンカバーの他の固定方法としては，インキパンの側部の所定位置に複数個の窓を設け，その窓を覆うようにインキパンの外側から接着テープを貼り，その接着テープの窓からの露出部分をインキパン内側のインキパンカバーに貼り合わせる方法が，特許文献１で開示されている。
【０００６】
しかし，特許文献１で開示されている方法では，材料コストは安く済むという利点はあるが，接着力の弱いテープを使用すると，印刷中に接着テープとインキパンカバーが剥れ，インキがインキパンカバーとインキパンの間に入り込み，インキパンを汚してしまい，更には，剥れたインキパンカバーが被印刷媒体と共に版胴と圧胴に巻き込まれてしまうトラブルが発生するといった問題点がある。
【０００７】
また，接着力が強い接着テープを使用すると，インキパンカバーを固定していた接着テープを剥がす際，インキパンカバーが破れてしまい，その結果，インキがインキパンカバーとインキパンの間に入り込み，インキパンを汚してしまうといった問題点が生じる。適切な接着力を持つ接着テープを使用した場合でも，インキパンカバーを固定していた接着テープを剥がす際，インキパンの外側の窓外の部分において接着テープの接着剤が残り，汚れとなる問題点もある。
【先行技術文献】
【特許文献】
【０００８】
【特許文献１】特開平９−３１４８０６号公報
【発明の概要】
【発明が解決しようとする課題】
【０００９】
本発明は上記のような問題点を鑑みてなされたものであり，その目的とするところは，インキパンカバーの固定作業及び取り外し作業が容易に行え，しかも，インキパンカバーをインキパンから取り外すときでも，インキパンカバーが破れることがないようにしたインキパンカバーの固定方法及びインキパンを提供することにある。
【課題を解決するための手段】
【００１０】
上述した課題を解決するための第１の発明は，インキパンの所定位置に複数の吸着孔を設け，吸引装置で発生させた吸引力を前記吸着孔に働かせることにより，前記インキパンに掛けられたインキパンカバーを固定することを特徴とするインキパンカバーの固定方法である。
【００１１】
更に，第２の発明は，前記インキパンは，内部空間を有する二重構造で，その内面の所定位置に複数の前記吸着孔が設けられ，吸引装置を用いて前記インキパンの内部空間を負圧にすることで，それぞれの前記吸着孔に吸引力を働かせるようにしたことを特徴とする，第１の発明に記載のインキパンカバーの固定方法である。
【００１２】
更に，第３の発明は，第１の発明又は第２の発明に記載のインキパンカバーの固定方法で利用され，吸引装置で発生させた吸引力を働かせるための複数の吸着孔が設けられたインキパンである。
【００１３】
上述した発明によれば，吸引装置で発生させた吸引力を吸着孔に働かせることにより，インキパンに掛けられたインキパンカバーを固定するようにしたので，吸引装置のＯＮ/ＯＦＦの切替えで，インキパンカバーの固定・取り外しが行えるため，クリップや接着テープを使用する場合に比べて，インキパンカバーの固定作業及び取り外し作業が容易となる。
【００１４】
また，吸引装置で発生させた吸引力によってインキパンカバーをインキパンに固定するため，インキパンカバーを取り外す際，速やかにインキパンカバーがインキパンから外れるので破れることもない。
【発明の効果】
【００１５】
このように，本発明によれば，カバーの固定作業及び取り外し作業が容易に行え，しかも，インキパンカバーをインキパンから取り外すときでも，インキパンカバーが破れることがないようにしたインキパンカバーの固定方法及びインキパンを提供できる。
【図面の簡単な説明】
【００１６】
【図１】本実施形態におけるインキパンを説明する図。
【図２】吸着孔の一例を説明する図。
【図３】インキパンカバーの固定方法を説明する図。
【図４】本発明の実現例１を説明する図。
【図５】インキパンの変形例を説明する図。
【図６】本発明の実現例２を説明する図。
【発明を実施するための形態】
【００１７】
ここから，本願発明の実施形態について，本願発明の技術分野に係わる当業者が，本願発明の内容を理解し，本願発明を実施できる程度に説明する。
【００１８】
図1は，本実施形態におけるインキパン１を説明する図である。グラビア印刷機の印刷ユニットで利用されるインキパン１は，版胴から落下するインキを受けるパン部１aと，版胴の横方向に飛び散るインキを止める版サイド部１ｂとを有し，図１で図示したインキパン１には，インキパン１のサイズよりも大きめに切断されたインキパンカバー２を吸引力により固定するための複数の吸着孔１０が，インキパン１の全体に渡って，適宜の間隔をおいて設けられている。なお，図１では，一つの吸着孔１０にのみ符合を付与している。
【００１９】
図２は，インキパン１に設けられた吸着孔１０の一例を説明する図である。図２に図示したように，本実施形態において吸着孔１０の形状は孔径が１〜２ｍｍの円形で，吸着孔１０は１２０ｍｍの間隔を開けてインキパン１に設けられている。
【００２０】
なお，図２では，インキパン１に設けられる吸着孔１０の形状を円形としているが，これは，吸着孔１０の加工の容易性から円形にしているのに過ぎず，吸着孔１０の形状は円形に限定されず，また，インキパン１の箇所によって，吸着孔１０の形状及びサイズを変更することもできる。更に，インキパンカバー２が外れ易い箇所或いはインキが漏れ易い場所の密度を高めて，インキパン１に吸着孔１０を設けるとよい。
【００２１】
図３は，インキパンカバー２の固定方法を説明する図である。インキパン１にインキパンカバー２を掛ける際，図３（ａ）に図示したように，インキパン１のサイズよりも大きめに切断されたインキパンカバー２をインキパン１に掛けた後，図３（ｂ）に図示したように，吸引装置で発生させた吸引力をそれぞれの吸着孔１０に働かせることにより，インキパン１に掛けられたインキパンカバー２を固定する。
【００２２】
インキパンカバー２を固定するための吸引力を発生する吸引装置は，吸引力を２段階に設定可能であることが望ましい。インキパンカバー２をインキパン１に掛ける際，まずは低い吸引力にて，インキパン１とインキパンカバー２を密着させて，インキパン１の形状に沿うように，且つ，インキパンカバー２に皺が入らないように微調整を行い，その後，高い吸引力でしっかりとインキパン１とインキパンカバー２を固定させるとよい。
【００２３】
図４は，本発明の実現例１を説明する図である。図４では，吸引力を発生させる吸引装置として真空ポンプ３ａを用い，図１で図示したインキパン１に設けられた吸着孔１０それぞれに吸引ノズル３ｂを接続し，継手３ｃを介して吸引ノズル３ｃそれぞれに真空ポンプ３ａからの配管がなされている。なお，図４では，誤って吸着孔１０からインキ等が吸われても，真空ポンプ３ａまでインキ等を到達させないようにするために，継手３ｃと真空ポンプ３ａ間にドレイントラップ３ｄを設けている。なお，図４では，一つの吸着孔１０及び吸引ノズル３ｃにのみ符合を付与している。
【００２４】
図４では，吸引装置である真空ポンプ３ａで発生させた吸引力が吸着孔１０に働き，インキパン１に掛けられたインキパンカバー２が固定される。
【００２５】
なお，本発明は，これまで説明した実施の形態に限定されることなく，種々の変形や変更が可能である。
【００２６】
図５は，インキパンの変形例を説明する図である。図５で図示したインキパン４は，内面４ａと外面４ｂを有する二重構造で，インキパン４の内面４ａにインキパンカバー２を固定するための吸着孔４０が設けられている。図５では，一つの吸着孔４０にのみ符合を付与している。
【００２７】
図６は，本発明の実現例２を説明する図である。図６では，吸引力を発生させる吸引装置として真空ポンプ５ａを用い，図５で図示したインキパン４に設けられ，内部空間を負圧にするための一つの吸引口４ｃに吸引ノズル５ｂが接続され，継手５ｃを介して吸引ノズル５ｂに真空ポンプ５ａからの配管がなされている。なお，図４と同様に，図６でも，継手５ｃと真空ポンプ５ａ間にドレイントラップ５ｄを設け，一つの吸着孔４０にのみ符合を付与している。
【００２８】
図６では，吸引装置である真空ポンプ５ａで発生させた吸引力によって，インキパン４の内部空間が負圧になることで，それぞれの吸着孔１０に吸引力が働き，インキパン４に掛けられたインキパンカバー２が固定される。
【符号の説明】
【００２９】
１，４    インキパン
１０，４０  吸着孔
２  インキパンカバー
【図１】
2011148144.tif 000003
【図２】
2011148144.tif 000004
【図３】
2011148144.tif 000005
【図４】
2011148144.tif 000006
【図５】
2011148144.tif 000007
【図６】
2011148144.tif 000008